(57)【要約】      （修正有）【課題】装置本体に対して着脱可能な廃液ユニットを備える記録装置において、装置本体内に廃液ユニットを収容する収容部側のメンテナンスを容易に行うことができる記録装置を提供する。【解決手段】媒体に液体を吐出して記録を行う記録ヘッドを備える装置本体と、記録ヘッドから出る廃液を貯留する廃液ユニット３０と、装置本体に設けられ、廃液ユニット３０を着脱可能に収容する収容部４０と、を備え、収容部４０の少なくとも一部が装置本体から引き出し可能に構成されている。【選択図】図９
2017121702.tif 000002
【特許請求の範囲】
【請求項１】
媒体に液体を吐出して記録を行う記録ヘッドを備える装置本体と、
前記記録ヘッドから出る廃液を貯留する廃液ユニットと、
前記装置本体に設けられ、前記廃液ユニットを着脱可能に収容する収容部と、を備え、
前記収容部の少なくとも一部が、前記装置本体から引き出し可能に構成されている、
ことを特徴とする記録装置。
【請求項２】
請求項１に記載の記録装置において、
前記廃液ユニットに設けられる第１の接点部と、
前記収容部に設けられ、前記第１の接点部と電気的に接続される第２の接点部と、を備える、ことを特徴とする記録装置。
【請求項３】
請求項２に記載の記録装置において、
前記装置本体に設けられる基板と、
前記第２の接点部と前記基板とを繋ぐ電線と、を備え、
前記基板側において前記電線を接続する電線接続部が、前記収容部を引き出す引き出し口の周囲に設けられている、
ことを特徴とする記録装置。
【請求項４】
請求項３に記載の記録装置において、
前記電線接続部が、前記装置本体の外装を構成し、前記基板を覆う外装カバーを外したときに現れる位置に設けられている、ことを特徴とする記録装置。
【請求項５】
請求項３または請求項４に記載の記録装置において、
前記第２の接点部が、前記廃液ユニットの着脱方向において、前記収容部の奥側に設けられている、ことを特徴とする記録装置。
【請求項６】
請求項３から請求項５のいずれか一項に記載の記録装置において、
前記電線が、前記収容部の外面に沿って前記外面に固定されている、ことを特徴とする記録装置。
【発明の詳細な説明】
【技術分野】
【０００１】
本発明は、記録ヘッドから液体を吐出して媒体に記録を行う記録装置において、記録ヘッドから出る廃液を貯留する廃液ユニットを備えた記録装置に関する。
【背景技術】
【０００２】
記録装置の一例として、搬送される媒体に記録ヘッドから液体（インク）を吐出して記録を行うインクジェットプリンターがある。  
インクジェットプリンターにおいては、記録ヘッドから出る廃液を貯留する廃液ユニットが設けられる場合がある。前記記録ヘッドから出る廃液としては、例えば、記録ヘッドのヘッド面に設けられた液体吐出ノズルの目詰まりを防止するため、液体吐出ノズルからインクを吐出するフラッシングや、前記液体吐出ノズル内のインクを吸い出すためのヘッド面の吸引等のヘッドクリーニングを行った際に出る廃インクや、用紙の四辺に余白無しで印刷する、いわゆる「縁無し印刷」を行う場合に、用紙端部から外れた領域に打ち捨てられるインクが挙げられる。
【０００３】
ヘッドクリーニングや縁無し印刷を繰り返し行うと、廃液ユニットには廃液が溜まり、満杯になる。このため、廃液が溜まった廃液ユニットがユーザーによって交換可能に構成された記録装置がある（例えば、特許文献１）。
【先行技術文献】
【特許文献】
【０００４】
【特許文献１】特開２０１２−１９２６６７号公報
【発明の概要】
【発明が解決しようとする課題】
【０００５】
特許文献１において、廃液ユニット（符号２１）には、廃液ユニット内の廃液量に関する情報を保持するＩＣチップ（符号２２）が設けられており、ＩＣチップと装置本体（符号２ａ）側に設けられた接点（符号２４）を介して、装置本体側に前記廃液量に関する情報が送られるようになっている。  
これにより装置本体に設けられる制御部が廃液ユニットに貯留された廃液量を把握し、廃液ユニットの交換タイミングを知らせるように構成されている。
【０００６】
ここで、廃液ユニットを着脱する際に、前記装置本体側の前記接点において、例えば、塵や埃等の異物が付着する、或いは、着脱される廃液ユニットの一部が当たって前記接点に傷や位置ずれが生じる等の不具合が発生し、廃液ユニット側のＩＣチップから廃液量に関する情報が装置本体側に送られなくなる場合がある。
【０００７】
このような場合には、前記接点の清掃、調整或いは交換等のメンテナンスを行う必要があるが、前記接点は廃液ユニットが収容される装置本体内の開口（符号２ｃ）内部に設けられるので手や器具を入れて作業を行うことが難しく、メンテナンスが困難であった。
【０００８】
そこで本発明の目的は、装置本体に対して着脱可能な廃液ユニットを備える記録装置において、装置本体内に廃液ユニットを収容する収容部側のメンテナンスを容易に行うことができる記録装置を提供することにある。
【課題を解決するための手段】
【０００９】
上記課題を解決するため、本発明の第１の態様に係る記録装置は、媒体に液体を吐出して記録を行う記録ヘッドを備える装置本体と、前記記録ヘッドから出る廃液を貯留する廃液ユニットと、前記装置本体に設けられ、前記廃液ユニットを着脱可能に収容する収容部と、を備え、前記収容部の少なくとも一部が、前記装置本体から引き出し可能に構成されている、ことを特徴とする。
【００１０】
本態様によれば、前記装置本体に設けられる前記廃液ユニットの収容部の少なくとも一部が、前記装置本体から引き出し可能であるので、当該収容部のメンテナンスを容易に行うことができる。  
例えば、前記収容部内に設けられる部材の交換または調整を容易に行うことができる。また、前記廃液が漏れる、埃や塵が溜まる等により収容部内が汚れた場合に容易に清掃を行うことができる。
【００１１】
本発明の第２の態様に係る記録装置は、第１の態様において、前記廃液ユニットに設けられる第１の接点部と、前記収容部に設けられ、前記第１の接点部と電気的に接続される第２の接点部と、を備えることを特徴とする。
【００１２】
本態様によれば、前記収容部に設けられる前記第２の接点部の交換、調整等のメンテナンスを容易に行うことができる。
【００１３】
本発明の第３の態様に係る記録装置は、第２の態様において、前記装置本体に設けられる基板と、前記第２の接点部と前記基板とを繋ぐ電線と、を備え、前記基板側において前記電線を接続する電線接続部が、前記収容部を引き出す引き出し口の周囲に設けられている、ことを特徴とする。
【００１４】
本態様によれば、前記収容部を前記装置本体から引き出す際に、前記装置本体に設けられる基板に繋がる電線を容易に取り外すことができる。
【００１５】
本発明の第４の態様に係る記録装置は、第３の態様において、前記電線接続部が、前記装置本体の外装を構成し、前記基板を覆う外装カバーを外したときに現れる位置に設けられている、ことを特徴とする。
【００１６】
本態様によれば、前記電線接続部にユーザーが触れる虞を低減または回避することができる。
【００１７】
本発明の第５の態様に係る記録装置は、第３の態様または第４の態様において、前記第２の接点部が、前記廃液ユニットの着脱方向において、前記収容部の奥側に設けられている、ことを特徴とする。
【００１８】
本態様によれば、前記収容部が前記装置本体に取り付けられた状態において、前記第２の接点部にユーザーが触れる虞を低減または回避することができる。
【００１９】
本発明の第６の態様に係る記録装置は、第３の態様から第５の態様のいずれかにおいて、前記電線が、前記収容部の外面に沿って前記外面に固定されている、ことを特徴とする。
【００２０】
本態様によれば、前記収容部を前記装置本体から引き出す際に、前記電線が引っ掛かる虞を低減または回避することができる。
【図面の簡単な説明】
【００２１】
【図１】本発明に係るプリンターの一例を示す外観斜視図。
【図２】図１に示すプリンターを背面側から見た外観斜視図。
【図３】本発明に係るプリンターの用紙搬送経路を示す側断面図。
【図４】図２に示すプリンターにおいて開閉カバーを開けた状態を示す図。
【図５】図４に示すプリンターにおいて外装カバーを外した状態を示す図。
【図６】本発明に係るプリンターの要部拡大図。
【図７】収容部から廃液ユニットを外した状態を示す図。
【図８】廃液ユニットおよび収容部を装置本体から引き出した状態を示す斜視図。
【図９】図８に示す廃液ユニットおよび収容部を他の方向から見た斜視図。
【図１０】装置本体から収容部を外した状態を示す図。
【図１１】廃液ユニットを示す斜視図。
【図１２】廃液ユニットを示す斜視図。
【図１３】収容部を示す斜視図。
【図１４】収容部を示す斜視図。
【図１５】装置本体に設けられる基板を示す斜視図。
【発明を実施するための形態】
【００２２】
［実施例１］
まず、本発明の一実施例に係る記録装置の概略について説明する。本実施例において、記録装置の一例としてインクジェット式プリンター（以下、単にプリンターと称する）を例に挙げる。  
図１は、本発明に係るプリンターの一例を示す外観斜視図である。図２は、図１のプリンターを背面側から見た外観斜視図である。図３は、本発明に係るプリンターの用紙搬送経路を示す側断面図である。図４は、図２に示すプリンターにおいて開閉カバーを開けた状態を示す図である。図５は、図４に示すプリンターにおいて外装カバーを外した状態を示す図である。図６は、本発明に係るプリンターの要部拡大図である。図７は、収容部から廃液ユニットを外した状態を示す図である。
【００２３】
図８は、廃液ユニットおよび収容部を装置本体から引き出した状態を示す斜視図である。図９は、図８に示す廃液ユニットおよび収容部を他の方向から見た斜視図である。図１０は、装置本体から収容部を外した状態を示す図である。図１１は、廃液ユニットを示す斜視図である。図１２は、廃液ユニットを示す斜視図である。図１３は、収容部を示す斜視図である。図１４は、収容部を示す斜視図である。図１５は、装置本体に設けられる基板を示す斜視図である。
【００２４】
尚、各図において示すＸ−Ｙ−Ｚ座標系は、Ｘ方向が記録ヘッドの移動方向、Ｙ方向が記録装置の奥行き方向及び用紙搬送方向、Ｚ方向が装置高さ方向を示している。尚、各図において＋Ｙ方向を装置前面側とし、−Ｙ方向側を装置背面側とする。
【００２５】
＜プリンターの全体構成について＞
以下、図１〜図３を参照しつつプリンター１０の全体構成について概説する。  
本発明に係るプリンター１０（図１）は、「媒体」としての記録用紙に「液体」としてのインクを吐出して記録を行う記録ヘッド２０を備える装置本体１２の上部に、スキャナー部１４を備えており、即ちインクジェット記録機能に加えてスキャナー機能を備える複合機として構成されている。スキャナー部１４については後に説明する。  
また、装置本体１２の外側には、インクを収容するインク収容体（不図示）を格納するインク収容体格納ケース１８ａ、１８ｂを備えている。
【００２６】
記録ヘッド２０は、装置本体１２内において図１におけるＸ軸方向に移動可能に構成されるキャリッジ２２に搭載され、記録ヘッド２０と対向する領域に送られる記録用紙に対してインクを吐出することにより記録が行われるように構成されている。
【００２７】
続いて、図３を参照しつつプリンター１０の用紙搬送経路について説明する。装置本体１２の下部には、複数の記録用紙Ｐを収容する用紙トレイ１５が設けられている。記録用紙は用紙トレイ１５から給送ローラー１６（ピックアップローラーとも言う）と送りローラー対１７により、一旦装置背面側（−Ｙ方向）に送られて、中間ローラー１９によって構成される湾曲搬送経路２１を通って装置前面側（＋Ｙ方向）に送られるようになっている。
【００２８】
記録ヘッド２０の用紙搬送方向上流側（装置背面側、−Ｙ方向）には、図示しないモーターによって回転駆動される搬送駆動ローラー２３と、該搬送駆動ローラー２３に接して従動回転する搬送従動ローラー２４とが設けられており、用紙Ｐが記録ヘッド２０の下へと送られる。  
装置前面側に送られる記録用紙は、記録ヘッド２０の下方を通り、記録ヘッド２０から吐出されるインクにより記録が行われる。  
記録ヘッド２０の用紙搬送方向下流側（装置前面側、＋Ｙ方向）には、図示しないモーターによって回転駆動される排出駆動ローラー２６と、当該排出駆動ローラー２６に接して従動回転する排出従動ローラー２７とが設けられており、記録後の記録用紙Ｐは、装置前面側に設けられる排出トレイ２５に排出される。
【００２９】
続いて図１または図２において、インク収容体格納ケース１８ａ（装置幅方向右側）には、マゼンタ、イエロー、シアンの各色のインクにそれぞれ対応する複数のインク収容体（不図示）が格納され、インク収容体格納ケース１８ｂ（装置幅方向左側）には黒色のインクを収容するインク収容体（不図示）が格納されている。そして、各インク収容体から記録ヘッド２０に対してインクが供給可能に構成されている。
【００３０】
また、キャリッジ２２のホームポジション（例えば図１の＋Ｘ側）には、記録ヘッド２０のヘッドクリーニングを行うメンテナンスユニット２８が設けられている。メンテナンスユニット２８は、記録ヘッド２０に取り付けられる取付部（不図示）を備え、前記取付部を記録ヘッド２０に取り付けた状態で、不図示の吸引ポンプによって吸引することにより、記録ヘッド７のノズル（不図示）からインクを吸引し、ヘッドクリーニングを行う。  
メンテナンスユニット２８において吸引されたインクは、チューブ２９（図７）を介して装置本体１２の背面側に設けられる廃液ユニット３０（図２）に、廃液として送られて貯留される。
【００３１】
廃液ユニット３０には、メンテナンスユニット２８で吸引されたインクの他、例えばプリンター１０が縁無し印刷を実行可能である場合には、記録ヘッド２０と対向する位置において記録用紙を支持する媒体支持部材（不図示）に設けられるインク打ち捨て部に打ち捨てられたインクを、廃液として廃液ユニット３０に回収するようにすることもできる。  
次に、廃液ユニット３０について、その装置本体１２への着脱構造とともに説明する。
【００３２】
＜廃液ユニットとその着脱構造について＞
廃液ユニット３０は、装置本体１２の背面側に設けられる収容部４０に着脱可能に設けられている。廃液ユニット３０に廃液が満杯になった際には、満杯の廃液ユニット３０を外し、空の廃液ユニット３０と交換することができる。  
廃液ユニット３０の装置本体１２への着脱構造について、以下に説明する。
【００３３】
廃液ユニット３０は、通常の状態（プリンター１０の使用する状態、例えば図２）のままでは取り外しできないようになっている。  
そして、図４に示すように、装置本体１２の背面を開閉する開閉カバー６０を開くと、用紙搬送路の一部（湾曲搬送経路２１）が露呈するとともに、廃液ユニット３０を引き出す際に持つ把持部３２（図６も参照）が現れるように構成されており、開閉カバー６０を開けた状態において、廃液ユニット３０の着脱が可能になっている。  
このことによって、プリンター１０を使用している際に廃液ユニット３０が不用意に引き出される虞を抑制している。また、仮にプリンター１０の使用時に開閉カバー６０が開かれたとしても、開閉カバー６０の開閉に連動して、記録ヘッド２０からのインクの吐出が確実に停止するように構成されている。また、開閉カバー６０の開閉に連動して、廃液ユニット３０への廃液の送出も停止するように構成されていることが好ましい。このことにより、廃液ユニット３０の着脱時に廃液が送られる虞を回避することができる。
【００３４】
尚、廃液ユニット３０は、奥側（＋Ｙ側）に位置する底部（図１２）に一対の凸部３４ａ、３４ｂを備えている。また、収容部４０側には、圧縮バネ４６ａ、４６ｂとロック部４７ａ、４７ｂによって構成されるロック機構４５が設けられている。  
廃液ユニット３０の収容部４０への装着、または収容部４０からの引き出し時には、廃液ユニット３０の凸部３４ａ、３４ｂがロック部４７ａ、４７ｂを押し、圧縮バネ４６ａ、４６ｂが圧縮されることにより廃液ユニット３０が着脱されるようになっている。
【００３５】
廃液ユニット３０の収容部４０への装着時には、凸部３４ａ、３４ｂがロック部４７ａ、４７ｂを超えると、ロック部４７ａ、４７ｂが、廃液ユニット３０の凸部３４ａ、３４ｂの手前側（−Ｙ側）に設けられた凹部３６ａ、３６ｂに嵌合し、これにより廃液ユニット３０が収容部４０から簡単に抜けないようにロックされる。  
符号３８は、メンテナンスユニット２８から廃液（インク）を送るチューブ２９の先端（図７）の接続口３８である。
【００３６】
また、廃液ユニット３０には、「第１の接点部」としてのＩＣチップ３３が設けられている。ＩＣチップ３３には、廃液ユニット３０に貯留されている廃液量や必要に応じてその他の情報が保存される。ＩＣチップ３３は、廃液ユニット３０を収容部４０に装着した状態において、収容部４０に設けられる「第２の接点部」としての接点４２と電気的に接続される。  
接点４２は、電線４４を介して装置本体１２に設けられる基板５０（図５、図６）と接続されており、これによりＩＣチップ３３と基板５０との間で情報の送受信やＩＣチップ３３への情報の書き込みが可能となっている。そしてこれにより装置本体１２側において廃液ユニット３０に貯留されている廃液量を把握できるようになっている。  
符号５４は、基板５０と外部機器とを繋ぐ入出力部等が設けられる接続ユニットである。本実施例において、基板５０は、収容部４０の上方に設けられている。尚、接点４２、電線４４、及び基板５０については、後に更に詳述する。
【００３７】
また本実施例において、ＩＣチップ３３は、廃液ユニット３０の奥側（＋Ｙ側）であって、廃液ユニット３０の側面３５（図１１、図１２）に設けられた凹部３７に設けられている。ＩＣチップ３３が凹部３７に設けられていることにより、廃液ユニット３０の着脱時にユーザーがＩＣチップ３３に触れる虞を低減することができる。  
尚、ＩＣチップ３３が設けられる位置は側面３５に限られず、側面３５の反対側側面や、上面あるいは下面に設けることもできる。収容部４０側の接点４２は、廃液ユニット３０のＩＣチップ３３の位置に対応する位置に設けられる。
【００３８】
続いて、収容部４０の構成について説明する。本実施形態の収容部４０は、図８に示すように装置本体１２から引き出し可能に構成されている。具体的な引き出し手順については後に説明する。  
前述のように、廃液ユニット３０の交換を行うと、廃液ユニット３０の着脱に伴って埃や塵が収容部４０内に入る場合がある。また、満杯になった廃液ユニット３０の取り外し時に、廃液（インク）が漏れてしまう場合がある。  
このような場合に、廃液ユニット３０の収容部４０が、装置本体１２から引き出し可能であるので、収容部４０のメンテナンスを容易に行うことができる。  
例えば、収容部４０内に設けられる部材（ロック機構４５の構成部材など）の交換または調整を容易に行うことができる。また、廃液が漏れる、埃や塵が溜まる等により収容部４０内が汚れた場合に容易に清掃を行うことができる。
【００３９】
尚、収容部４０は、装置本体１２から引き出して収容部４０の全体を取り出し可能である場合の他、例えば、収容部４０の引き出し方向（−Ｙ方向）手前の一部分のみが引き出され、収容部４０の奥側が装置本体１２内に残された状態（図８）に引き出すように構成されていてもよい。  
また、収容部４０を分割可能な複数の部分により構成し、その複数の部分のうちの一部を分割して引き出す構成とすることもできる。
【００４０】
また前述したように、収容部４０には、ＩＣチップ３３と電気的に接続される接点４２が設けられている。  
収容部４０から廃液ユニット３０の着脱を行うと、例えば、接点４２に塵や埃等の異物が付着したり、接点４２に廃液ユニット３０の一部が当たって傷や位置ずれが生じる場合がある。そしてこれらが原因となって、廃液ユニット３０側のＩＣチップ３３と装置本体１２側との間で正しくデータの送受信が行えなくなる場合がある。  
このような不具合が生じた場合に、収容部４０が装置本体１２から引き出し可能に構成されていることにより、収容部４０に設けられる接点４２の交換、位置調整等のメンテナンスを容易に行うことができる。尚、接点４２は、接点ホルダー７０（図１４）に取り付けられており、交換可能に構成されている。  
また前述のように、収容部４０を分割可能な複数の部分により構成した場合には、接点４２が配置されている部分を分割して引き出し可能に構成するとよい。
【００４１】
接点４２は、廃液ユニット３０の着脱方向（Ｙ軸方向）において、収容部４０の奥側、すなわち、＋Ｙ側に設けられていることが望ましい。  
これにより、収容部４０が装置本体１２に取り付けられた状態において、接点４２にユーザーが触れる虞を低減または回避することができる。
【００４２】
また、接点４２と基板５０とを接続する電線４４は、図９に示す接点側接続部４２ａから基板５０側の電線接続部５２（図６、図１５）までの間において、収容部４０の「外面」としての側面４１、上面４３（図９、図１３）に沿って設けられるとともに、当該側面４１、上面４３に固定されている。側面４１、上面４３への電線４４の固定は、両面テープ等により接着して行うことができる。  
このように電線４４が収容部４０の外面に沿って固定されていることにより、収容部４０を装置本体１２から引き出す際に、電線４４が引っ掛かる虞を低減または回避することができる。
【００４３】
ここで、基板５０側の電線接続部５２は、図７及び図８に示すように、収容部４０を引き出す引き出し口６２（図８、図１０を参照）の周囲に設けられていることが好ましい。  
このように、基板５０側の電線接続部５２が引き出し口６２の近くに設けられていることにより、収容部４０を装置本体１２から引き出す際に、基板５０に繋がる電線４４を容易に取り外すことができる。尚、引き出し口は周縁で囲われた形状に限定されず、切欠きも含むものとする。
【００４４】
続いて、収容部４０の装置本体１２からの引き出し手順については説明する。収容部４０は、廃液ユニット３０の着脱が可能な図４の状態では、引き出しができないようになっている。  
そして、図４に示す外装カバー６４を外したときに（図５を参照）、収容部４０が装置本体１２から引き出し可能になる。具体的には、外装カバー６４は基板５０を覆っており、外装カバー６４を外すことによって基板５０及び電線接続部５２が露呈する。言い換えると、電線接続部５２は、外装カバー６４を外したときに現れる位置に設けられている。  
収容部４０を装置本体１２から引き出す際には、電線接続部５２に接続された電線４４が取り外される。  
尚、収容部４０側の固定端部５６（図１３）から電線接続部５２に接続される電線４４の端部５８までの間のフリーの電線４４の長さを長くして、電線接続部５２に電線４４を接続したまま収容部４０を引き出すように構成することも可能である。
【００４５】
また、外装カバー６４を装置本体１２に固定する固定ネジの一つ（符号６６）が、収容部４０を装置本体１２に固定する固定ネジを兼ねている。電線接続部５２に接続された電線４４に加え、収容部４０の上部に設けられる固定ネジ６６と、収容部４０の下部に設けられる固定部材６８の両方を外すことにより、収容部４０を装置本体１２から引き出すことが可能となる。符号６９は、固定部材６８を固定する固定ネジ６９である。尚、図８、図９において、符号４８は固定ネジ６６用のネジ孔４８であり、符号４９は、固定部材６８の取付孔４９である。
【００４６】
また本実施例では、外装カバー６４を外すことによって、装置本体１２内に設けられる基板５０が現れるとともに、電線接続部５２が露呈するように構成されている。  
装置本体１２の外装を構成する外装カバー６４は、ユーザーが通常使用する際に外すことは想定されていない。したがって、外装カバー６４を外したときに電線接続部５２が現れる位置に設けられることにより、電線接続部５２にユーザーが触れる虞を低減または回避することができる。
【００４７】
尚、収容部４０の下面に設けられる係止部６３、６３（図９）は、装置本体１２側の被係止部６５、６５（図１０）と係合する。これにより、収容部４０の取り付け位置が決められるとともに、収容部４０が装置本体１２に固定されて取り付けられる。
【００４８】
本実施例において、収容部４０は、廃液ユニット３０の着脱方向と同じＹ軸方向に引き出される構成であるが、廃液ユニット３０の着脱方向と収容部４０の引き出し方向は、異なっていてもよい。例えば装置本体１２の幅方向側面（＋Ｘ側側面）にインク収容体格納ケース１８ａがない構成のプリンターにおいては、＋Ｘ側の側面に収容部４０の取り出し口を設け、当該収容部４０を＋Ｘ方向に引き出し可能に構成することもできる。また、上方（＋Ｚ方向）に引き出す構成としてもよい。
【００４９】
また、装置本体１２における廃液ユニット３０は、本実施例では装置背面側（−Ｙ側）に設けられているが、装置前面（＋Ｙ側）或いは装置上面（＋Ｚ側）に設けることもできる。また、装置前面側から見て右側（＋Ｘ側）、左側（−Ｘ側）に限られず、装置幅方向（Ｚ軸方向）のいずれの位置に配置してもよい。
【００５０】
＜プリンターの他の構成（スキャナー部）について＞
前述したように、プリンター１０は、インクジェット記録機能に加えてスキャナー機能を備える複合機として構成されている。以下において、原稿の画像を読み取るスキャナー部１４（図１参照）の概要について説明する。スキャナー部１４は、上面に原稿を載置する原稿台１４ａを備えた読み取り機構部１４ｂと、読み取り機構部１４ｂに対して閉じた姿勢と開いた姿勢とを切換え可能な給送機構部１４ｃとを備えている。本実施例において給送機構部１４ｃは装置背面側の端部を回動支点として読み取り機構部１４ｂに対して回動可能に構成されている。
【００５１】
そして、給送機構部１４ｃを読み取り機構部１４ｂに対して開いた姿勢にすることにより、原稿台１４ａに原稿をセットすることが可能である。また、読み取り機構部１４ｂ内には原稿台１４ａにセットされた原稿の被読み取り面を読み取り可能な読み取り手段（不図示）が設けられている。また、給送機構部１４ｃは原稿セット部１４ｄにセットされた原稿を原稿排出トレイ１４ｅに向けて搬送可能に構成されており、原稿の搬送途中で原稿の被読み取り面を読み取り手段により読み取り可能に構成されている。
【００５２】
尚、本発明は上記実施形態に限定されることなく、特許請求の範囲に記載した発明の範囲内で種々の変形が可能であり、それらも本発明の範囲内に含まれるものであることは言うまでもない。
【符号の説明】
【００５３】
１０…インクジェットプリンター（記録装置）、１２…装置本体、
１４…スキャナー部、１４ａ…原稿台、１４ｂ…読み取り機構部、
１４ｃ…給送機構部、１５…用紙トレイ、１６…給送ローラー、
１７…送りローラー対、１８ａ、１８ｂ…インク収容体格納ケース、
１９…中間ローラー、２０…記録ヘッド、２１…湾曲搬送経路、
２２…キャリッジ、２３…搬送駆動ローラー、２４…搬送従動ローラー、
２５…排出トレイ、２６…排出駆動ローラー、２７…排出従動ローラー、
２８…メンテナンスユニット、２９…チューブ、３０…廃液ユニット、
３２…把持部、３３…ＩＣチップ（第１の接点部）、
３４ａ、３４ｂ…凸部、３５…側面、３６ａ、３６ｂ…凹部、
３７…凹部、３８…接続口、４０…収容部、４１…側面、
４２…接点（第２の接点部）、４２ａ…接点側接続部、４３…上面、
４４…電線、４５…ロック機構、４６ａ、４６ｂ…圧縮バネ、
４７ａ、４７ｂ…ロック部、４８…ネジ孔、４９…取付孔、
５０…基板、５２…電線接続部、５４…接続ユニット、５６…固定端部、
５８…端部、６０…開閉カバー、６２…引き出し口、６３…係止部、
６４…外装カバー、６５…被係止部、６６…固定ネジ、
６８…固定部材、６９…固定ネジ、７０…接点ホルダー
【図１】
2017121702.tif 000003
【図２】
2017121702.tif 000004
【図３】
2017121702.tif 000005
【図４】
2017121702.tif 000006
【図５】
2017121702.tif 000007
【図６】
2017121702.tif 000008
【図７】
2017121702.tif 000009
【図８】
2017121702.tif 000010
【図９】
2017121702.tif 000011
【図１０】
2017121702.tif 000012
【図１１】
2017121702.tif 000013
【図１２】
2017121702.tif 000014
【図１３】
2017121702.tif 000015
【図１４】
2017121702.tif 000016
【図１５】
2017121702.tif 000017